(57)【特許請求の範囲】
【請求項１】
画像を撮影する撮影部と、
撮影するシーンに対応づけられ、前記画像を編集するためのフレームの編集情報又は背景の編集情報を少なくとも記憶した記憶部と、
撮影する画像のシーンを判別し、その判別結果に基づき、前記フレームの編集情報又は背景の編集情報を選択する制御部と、
前記制御部が選択した編集情報を表示する表示部と、
前記表示部に表示された編集情報をユーザが選択するための入力部とを有し、
前記制御部は、前記入力部において選択された編集情報に基づき、前記画像における被写体を認識してフレーム又は背景を当該被写体に重ならないように合成することにより、撮影する前記画像を編集する、カメラ付き携帯端末。
【請求項２】
前記記憶部は、シーンに対応づけられた前記フレームの編集情報に加え、ユーザが前記画像を編集するために編集した編集情報であるフレームのユーザ編集情報を更に記憶し、
前記制御部は、前記判別結果に基づいて前記フレームの編集情報を選択する場合には、前記フレームのユーザ編集情報も併せて選択する請求項１記載のカメラ付き携帯端末。
【請求項３】
前記記憶部は、シーンに対応づけられた前記背景の編集情報に加え、ユーザが前記画像を編集するために編集した編集情報である背景のユーザ編集情報を更に記憶し、
前記制御部は、前記判別結果に基づいて前記背景の編集情報を選択する場合には、前記背景のユーザ編集情報も併せて選択する請求項１記載のカメラ付き携帯端末。
【請求項４】
前記制御部は、シーンを判別する際、撮影する前記画像を解析し、解析により検出した画像の色、及び被写体の形状からシーンを判別する請求項１乃至３のいずれか１記載のカメラ付き携帯端末。
【請求項５】
撮影するシーンに対応づけられ、撮影する画像を編集するためのフレームの編集情報又は背景の編集情報を少なくとも記憶し、
撮影する画像のシーンを判別し、その判別結果に基づき、前記フレームの編集情報又は背景の編集情報を選択し、
前記選択した編集情報を表示し、
前記表示した編集情報をユーザに選択させ、
前記ユーザに選択された編集情報に基づき、前記画像における被写体を認識してフレーム又は背景を当該被写体に重ならないように合成することにより、撮影する前記画像を編集する、カメラ付き携帯端末の制御方法。
【請求項６】
前記編集情報を記憶する際は、シーンに対応づけた前記フレームの編集情報に加え、ユーザが前記画像を編集するために編集した編集情報であるフレームのユーザ編集情報を更に記憶し、
前記判別結果に基づいて前記フレームの編集情報を選択する場合には、前記フレームのユーザ編集情報も併せて選択する請求項５記載のカメラ付き携帯端末の制御方法。
【請求項７】
前記編集情報を記憶する際は、シーンに対応づけた前記背景の編集情報に加え、ユーザが前記画像を編集するために編集した編集情報である背景のユーザ編集情報を更に記憶し、
前記判別結果に基づいて前記背景の編集情報を選択する場合には、前記背景のユーザ編集情報も併せて選択する請求項５記載のカメラ付き携帯端末の制御方法。
【請求項８】
前記シーンを判別する際は、撮影する前記画像を解析し、解析により検出した画像の色、及び被写体の形状からシーンを判別する請求項５乃至７のいずれか１記載のカメラ付き携帯端末の制御方法。
【請求項９】
カメラ付き携帯端末を制御する制御プログラムであって、
前記カメラ付き携帯端末に、
撮影するシーンに対応づけられ、撮影する画像を編集するためのフレームの編集情報又は背景の編集情報を少なくとも記憶させる処理と、
撮影する画像のシーンを判別し、その判別結果に基づき、前記フレームの編集情報又は背景の編集情報を選択させる処理と、
前記選択させた編集情報を表示させる処理と、
前記表示させた編集情報をユーザに選択させる処理と、
前記ユーザに選択された編集情報に基づき、前記画像における被写体を認識してフレーム又は背景を当該被写体に重ならないように合成することにより、撮影する前記画像を編集させる処理とを行わせるカメラ付き携帯端末の制御プログラム。
【発明の詳細な説明】
【技術分野】
【０００１】
本発明はカメラ付き携帯端末、カメラ付き携帯端末の制御方法及びその制御プログラムに関し、特に画像編集を行うカメラ付き携帯端末、カメラ付き携帯端末の制御方法及びその制御プログラムに関する。
【背景技術】
【０００２】
昨今の通信端末付属のカメラは、プレビュー画面から自動でシーンを判別し、そのシーンに適した色味調整を行っている。しかし、最適な色味調整を行ったとしても、ユーザ毎に好みは異なる為、人によっては好みの色味で撮影できない場合があった。
【０００３】
また、現在はほとんどの通信端末にカメラが搭載されており、通信端末で撮影を行う機会が増加している。撮影した画像を待受画像としたり、ブログに掲載したりと、自分好みの画像を手軽に撮影したい、というニーズが増えている。
【０００４】
特許文献１には、通信端末における表示色調整装置、方法、プログラム及び該プログラムを記録した記録媒体が記載されている。特許文献１に記載の技術は、サンプル画像を表示し、ユーザは当該サンプル画像を見ながらＲＧＢの色合いを調整する。この調整結果は当該通信端末が他の画像を表示する際に反映され、これにより、ユーザの好みの色合いで画像を表示できるものである。
【０００５】
特許文献２に記載の技術は、外部表示装置に複数の画像を表示し、当該複数の画像のうち選択されたものを組み合わせて通信端末上のディスプレイに表示するものである。
【０００６】
特許文献３に記載の技術は、通信端末のディスプレイの明るさ、コントラストを調整するためのものである。特許文献３に記載の技術は、標準画像の表示条件を調整し、その調整のためのキャリブレーション条件を算出し、当該条件に基づいて他の画像を表示するものである。
【先行技術文献】
【特許文献】
【０００７】
【特許文献１】特開２００２−２７８５３９号公報
【特許文献２】特開２００２−３１５０６０号公報
【特許文献３】特開２００４−１２０３９６号公報
【発明の概要】
【発明が解決しようとする課題】
【０００８】
しかしながら、従来技術においては、撮影した画像の編集及び調整をユーザが行う際、細かく調整を行わなければならず、処理が煩雑であるという問題点があった。本発明は、より容易に画像の編集を行うことができるカメラ付き携帯端末、カメラ付携帯端末の制御方法及びその制御プログラムを提供することを目的とする。
【課題を解決するための手段】
【０００９】
本発明にかかるカメラ付き携帯端末は、画像を撮影する撮影部と、撮影するシーンに対応づけられ、画像を編集するための複数の編集情報を記憶した記憶部と、撮影した画像のシーンを判別し、その判別結果に基づき、複数の編集情報から少なくとも１つの編集情報を選択する制御部と、選択された編集情報を表示する表示部と、編集情報を使用してユーザが選択した編集指示を入力する入力部とを有し、制御部は、編集指示に基づき、画像を編集する。
【発明の効果】
【００１０】
本発明において、より容易に画像の編集を行うことができるカメラ付き携帯端末、カメラ付携帯端末の制御方法及びその制御プログラムを提供することができる。
【図面の簡単な説明】
【００１１】
【図１】実施の形態１にかかる通信端末１を示す図である。
【図２】実施の形態１にかかる通信端末１を示す図である。
【図３】実施の形態１にかかるＬＣＤ２２を示す図である。
【図４】実施の形態１にかかるＬＣＤ２２を示す図である。
【図５】実施の形態１にかかるＬＣＤ２２を示す図である。
【図６】実施の形態２にかかる画像処理の流れを示すフローチャートである。
【発明を実施するための形態】
【００１２】
実施の形態１
以下、図面を参照して本発明の実施の形態について説明する。説明の明確化のため、以下の記載及び図面は、適宜、省略及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。また、以下の図面に示す各装置の構成は、例えば記憶装置に読み込まれたプログラムをコンピュータ（ＰＣ（personal computer）や携帯端末装置等）上で実行することにより実現される。また、これらのプログラムは、ＣＤ−ＲＯＭ（Read Only Memory）や光ディスク等の情報記憶媒体に記憶され、もしくはインターネット等のネットワークを介して配布され、コンピュータにインストールされることになる。
【００１３】
図１及び図２は、本実施の形態にかかる通信端末１を示す図である。通信端末１は、カメラ１１と、カメラ１１を制御する専用ＬＳＩ（Large Scale Integration）１２と、メモリ２０と、制御部２１と、表示部ＬＣＤ（Liquid Crystal Display）２２と、キー２３とを有する。
【００１４】
記憶部としてのメモリ２０は、撮影するシーンに対応づけられ、画像を編集するための複数の編集情報を記憶している。
【００１５】
制御部２１は、撮影した画像のシーンを判別し、その判別結果に基づき、複数の編集情報から少なくとも１つの編集情報を選択する。表示部としてのＬＣＤ２２は、選択された編集情報を表示する。入力部としてのキー２３は、編集情報を使用してユーザが選択した編集指示を入力する。そして、制御部２０は、編集指示に基づき、画像を編集する。
【００１６】
本実施の形態にかかるカメラ付き携帯端末は、シーンを自動で判別し、そのシーンに合った編集情報を表示する。ユーザは表示された編集情報を選択することにより、画像を編集するための編集指示をカメラ付き携帯端末に入力する。カメラ付き携帯端末は、ユーザから入力された編集指示に従い、画像を編集する。これにより、ユーザはより容易に画像の編集ができる。
【００１７】
通信端末１について、更に詳細に説明する。メモリ２０は、シーンに対応づけて、予め入力された複数の編集情報を記憶する。具体的には、画質調整のパラメータ、及びフレーム用の画像データを格納する。画質調整用のパラメータには色味に関する情報、例えば、色、明るさ、背景、模様、コントラストのいずれか１以上を変更又は調整する情報を含む。また、メモリ２０は、シーンに対応づけた編集情報に加え、ユーザ編集情報を記憶する。ユーザ編集情報とは、メモリ２０に予め記憶された編集情報ではなく、ユーザが新たに編集した、画像を編集するための情報のことである。具体的には、コントラストの編集、ネットワークを介して外部から取得した背景の模様、フレーム等の情報である。また、画像を解析する際、個人認識機能を用いて、個別に登録された肌の色味で自動に撮影するようにするなどしてもよい。ユーザ編集情報を有することにより、予め入力された編集情報による編集のみでなく、よりユーザの好みに合った画像の編集ができるようになる。
【００１８】
制御部２１は、通信端末全体の制御と、撮影するシーンの判別と、ユーザに入力された編集指示に従って画像の編集を行う。シーンを判別する際は、撮影した画像を解析し、画像の色、被写体の形状からシーンを判別する。そして、判別したシーンに基づき、メモリ２０から画像を編集するための編集情報及びユーザ編集情報を読み出し、ＬＣＤ２２に当該複数の編集情報を示すアイコンを表示させる。ユーザはＬＣＤ２２に表示されたアイコンを選択し、キー２３を押下することにより、制御部２１に編集指示を入力する。制御部２１は、ユーザにより選択された編集情報又はユーザ編集情報を用いて画像の編集を行い、ＬＣＤ２２に表示させる。例えばユーザにより選択された編集情報が、色彩を調整するものであった場合には、編集情報が有するパラメータを元に画像の色味の調整を行い、ＬＣＤ２２に表示させる。
【００１９】
図２は、携帯端末１を示す図である。携帯端末１は図２のように、キー２３と、ＬＣＤ２２と、カメラ１１とを有している。ユーザはキー２３を用いて編集情報を選択し、ＬＣＤ２２は、編集情報を示すアイコンと、編集情報を反映させた画像を表示する。ここで、編集情報の切り替えはキー操作だけでなく、タッチパネル等の他の入力デバイスで行うようにしてもよい。
【００２０】
ここで、編集情報について更に説明する。編集情報は、例えば画質調整用のパラメータであれば、色味に関する情報である彩度又はコントラストの情報を有している。また編集情報は、ユーザが編集情報を選択する際にＬＣＤ２２に表示される、編集情報の名称と、アイコンの情報とを有している。制御部２１は、編集情報に含まれるパラメータを元に色味の調整を行い、彩度又はコントラストの調整された画像をＬＣＤ２２に表示する。
【００２１】
具体的な編集情報については、例えば以下のようなものが挙げられる。シーンの判別において、人物と判別された場合には、肌の色のみを白くして美肌にする処理、顔の外形を小さくして小顔にする処理、日焼けした肌にする処理、及び瞳を検出して大きくする等の処理を行う。
【００２２】
シーンの判別が風景の場合には、例えば空の色を鮮やかにする処理、又はコントラストを強くする処理を行う。シーン判別が夕焼けの場合には、例えば全体の赤みを強くする処理、又はホワイトバランスを変更する処理を行う。フレームや背景を変更する場合には、被写体を認識し、被写体に重ならないように合成するなどする。
【００２３】
編集情報の変更について、図３乃至図５を用いて更に説明する。図３は、ＬＣＤ２２を示す図である。カメラから出力された画像を解析して、どのような被写体を撮影しているのかを自動で判別する。アイコン３２は判別されたシーンを示し、この場合、シーンは人物であると判別されている。
【００２４】
アイコン３３は、選択できる編集情報を示す。また、現在どの編集情報が有効なのかを示すために、選択されたアイコン３２は色を反転させるか、枠を表示するなどして明示する。タイトル３４は、選択された編集情報の名称等、効果を表示する。
【００２５】
図４乃至５は、編集情報を切替たときのＬＣＤ２２の表示を示す図である。図４（ａ）は、色味を調整せずに被写体を表示している。その状態でキー２３を押下する毎に図４（ｂ）、（ｃ）と色味を変更し、変更した結果をリアルタイムに表示する。
【００２６】
図５（ａ）は、フレームを変更した場合を示す図である。図５（ａ）はフレームを追加せずに被写体を表示し、図５（ｂ）、および図５（ｃ）は、ユーザがキー２３を押してフレームが変更された場合の画面を示す。
【００２７】
次に、本実施の形態にかかる通信端末１の動作について更に詳細に説明する。図６は、画像処理の概要を示すフローチャートである。まず、カメラを起動し、シーンの判別処理を行う（ステップＳ６１）。ステップＳ６１では、カメラから出力された画像を解析して、どのような被写体を撮影しているのか、すなわち人物なのか、風景なのか、又は夕焼けなのかを自動で判別する。また、シーン判別処理では常にカメラからの出力画像の解析を行う。
【００２８】
ステップＳ６１でシーン判別が出来なかった場合は（ステップＳ６２：Ｎｏ）、メモリ２０に格納されているデフォルト用のパラメータを読み出し（ステップＳ６３）、デフォルトの編集にてＬＣＤ２２に画像を出力する（ステップＳ６４）。デフォルトの編集情報で表示された画像で、撮影が実施された場合（ステップＳ７１：Ｙｅｓ）、撮影処理を実施し（ステップＳ７２）、終了する。また、ステップＳ７１で撮影が実施されず（ステップＳ７１：Ｎｏ）、ユーザがカメラを終了させた場合（ステップＳ７４）、カメラ終了処理を実施する（ステップＳ７４）。ステップＳ７４において、ユーザがカメラを終了させなかった場合は、ステップＳ６１に戻る。
【００２９】
ステップＳ６１においてシーン判別処理が行われ、シーンが判別可能であった場合（ステップＳ６２：Ｙｅｓ）、メモリ２０からシーンに対応づけられた編集情報のパラメータを読み出す（ステップＳ６５）、この際ＬＣＤ２２の表示はデフォルトの編集で画像を出力する（ステップＳ６６）。そして、ステップＳ６５において読み出した、シーン判別の結果にあわせた１以上の編集情報のアイコンを表示する（ステップＳ６７）。
【００３０】
シーン判別処理では常にカメラからの出力画像の解析を行うため、ステップＳ６８で、再度判別されたシーンの変更があったかどうかを確認する。変更があった場合は、ステップＳ６５に戻る。
【００３１】
次に、ユーザが編集情報の切替を行ったかどうかを判別する（ステップＳ６９）。ユーザが編集情報の切替を行った場合（ステップＳ６９：Ｙｅｓ）、選択された編集情報に応じて、メモリ２０からデータを読み出し、読み出した値で編集した画像を表示する（ステップＳ７０）。
【００３２】
ステップＳ６９で、ユーザが編集情報の切り替えを行わなかった場合、ステップＳ７１に進み、撮影処理を行う。ユーザが撮影および終了を実施するまでは、シーン判別の変換とユーザ切替の有無の監視を継続する。
【００３３】
ステップＳ７１で、ユーザが撮影を実施したら（ステップＳ７１：Ｙｅｓ）、撮影処理を行う（ステップＳ７２）。撮影処理は撮影前のカメラプレビュー画面でユーザが選択した色味やフレームでの撮影を実施する。
【００３４】
本実施の形態によれば、画質に関する様々なニーズに対応する為、容易に画質を切替られることができる。また、煩わしい細かい設定をせずに、判別されたシーン別に、パラメータをふった数種類のデータを用意し、選択するだけで画質の調整をすることができる。これにより、画質の編集を容易に行うことができ、ユーザは手軽に自分好みの画質、背景及びフレームでの撮影をすることが可能になる。
【００３５】
なお、本発明は上記実施の形態に限られたものではなく、趣旨を逸脱しない範囲で適宜変更することが可能である。
【符号の説明】
【００３６】
１  通信端末
１０  専用ＬＳＩ
１１  カメラ
２０  メモリ
２１  制御部
２２  ＬＣＤ
２３  キー
３１  被写体
３２  アイコン
３３  アイコン
３４  タイトル
【図１】
0005515965.tif 000002
【図２】
0005515965.tif 000003
【図３】
0005515965.tif 000004
【図４】
0005515965.tif 000005
【図５】
0005515965.tif 000006
【図６】
0005515965.tif 000007